(57)【要約】【課題】簡易に通信機器のＳＳＩＤを設定及び管理する設定管理システムを提供すること。【解決手段】設定管理システム１は、アドホックモードにて、主装置である通信機器１０ａのＳＳＩＤと、従装置である通信機器１０ｂのＳＳＩＤとを設定及び管理する。通信機器１０ａは、通信機器１０ａのＭＡＣアドレスを記録する記録部３１と、記録部３１に記録されているＭＡＣアドレスをＡＳＣＩＩコード化し、ＡＳＣＩＩコード化されたＭＡＣアドレスを通信機器１０ａのＳＳＩＤとして設定する制御部３３と、制御部３３によって設定されたＡＳＣＩＩコード化されたＭＡＣアドレスを通信機器１０ｂに転送する転送部３７とを具備する。通信機器１０ｂは、転送部３７によって転送されたＡＳＣＩＩコード化されたＭＡＣアドレスを通信機器１０ｂのＳＳＩＤとして設定する制御部３３ｂを具備する。管理装置５０は、通信機器１０ａのＳＳＩＤと通信機器１０ｂのＳＳＩＤとを管理する。【選択図】      図２
2011223070.tif 000002
【特許請求の範囲】
【請求項１】
アドホックモードにおいて、主装置である第１の通信機器のＳＳＩＤと、従装置である第２の通信機器のＳＳＩＤとを設定及び管理する設定管理システムであって、
前記第１の通信機器は、
前記第１の通信機器のＭＡＣアドレスを記録する記録部と、
前記記録部に記録されている前記ＭＡＣアドレスをＡＳＣＩＩコード化し、ＡＳＣＩＩコード化された前記ＭＡＣアドレスを前記第１の通信機器のＳＳＩＤとして設定する第１の通信機器側制御部と、
前記第１の通信機器側制御部によって設定されたＡＳＣＩＩコード化された前記ＭＡＣアドレスを前記第２の通信機器に転送する転送部と、
を有し、
前記第２の通信機器は、
前記転送部によって転送されたＡＳＣＩＩコード化された前記ＭＡＣアドレスを前記第２の通信機器のＳＳＩＤとして設定する第２の通信機器側制御部と、
を有し、
前記第１の通信機器側制御部によって設定された前記第１の通信機器のＳＳＩＤと、前記第２の通信機器側制御部によって設定された前記第２の通信機器のＳＳＩＤとをグループ化して管理する管理装置を具備することを特徴とする設定管理システム。
【発明の詳細な説明】
【技術分野】
【０００１】
本発明は、無線ＬＡＮを用いて情報を送受信する通信機器のＳＳＩＤを設定及び管理する設定管理システムに関する。
【背景技術】
【０００２】
図３に示すように、一般に無線ＬＡＮを用いる通信機器１１０において、アドホックモードが用いられると、一対一（ｐｏｉｎｔ  ｔｏ  ｐｏｉｎｔ）、つまり特定の一方の通信機器１１０ａと他方の通信機器１１０ｂとの間で情報が送受信される。
【０００３】
アドホックモードが用いられる場合、ＳＳＩＤ（Ｓｅｒｖｉｃｅ  Ｓｅｔ  ＩＤｅｎｔｉｆｉｅｒ）を通信機器１１０毎に設定する必要があり、さらに一方の通信機器１１０ａのＳＳＩＤと他方の通信機器１１０ｂのＳＳＩＤとを無線通信のためにグループ化する必要がある。
【０００４】
そのため図４に示すように、通信機器１１０は例えばＰＣなどの外部装置２００と接続し、外部装置２００はＳＳＩＤを通信機器１１０毎に設定する。設定されたＳＳＩＤは、通信機器１１０における記録部１３１にて記録される。  
また一方の通信機器１１０ａのＳＳＩＤと他方の通信機器１１０ｂのＳＳＩＤとがグループ化して管理されるように、外部装置２００は、通信機器１１０毎のＳＳＩＤを管理している。
【０００５】
例えば特許文献１には、移動車両に搭載された無線ＬＡＮデバイスから固定されたアクセスポイントに遅延無く接続するため、アクセスポイントが提供する無線ＬＡＮ通信可能範囲に入る前に予め無線ＬＡＮ設定を完了する移動端末、無線ＬＡＮ装置及び無線ＬＡＮ接続設定方法が開示されている。
【先行技術文献】
【特許文献】
【０００６】
【特許文献１】特開２００８−２７１０６３号公報
【発明の概要】
【発明が解決しようとする課題】
【０００７】
一方の通信機器１１０ａのＳＳＩＤと他方の通信機器１１０ｂのＳＳＩＤとを設定するために、一方の通信機器１１０ａと他方の通信機器１１０ｂとの両方にＰＣなどの外部装置２００をそれぞれ接続し、外部装置２００にてＳＳＩＤを設定する必要がある。このようにＳＳＩＤの設定は、手間がかかる。
【０００８】
また上述したように、外部装置２００は、ＳＳＩＤを設定し、一方の通信機器１１０ａのＳＳＩＤと他方の通信機器１１０ｂのＳＳＩＤとをグループ化して管理する。その際、通信機器１１０ａのＳＳＩＤと通信機器１１０ｂのＳＳＩＤとは異なるため、ＳＳＩＤの管理は、手間がかかる。
【０００９】
そのため本発明は、上記事情に鑑み、簡易に通信機器のＳＳＩＤを設定及び管理する設定管理システムを提供することを目的とする。
【課題を解決するための手段】
【００１０】
本発明は目的を達成するために、アドホックモードにおいて、主装置である第１の通信機器のＳＳＩＤと、従装置である第２の通信機器のＳＳＩＤとを設定及び管理する設定管理システムであって、前記第１の通信機器は、前記第１の通信機器のＭＡＣアドレスを記録する記録部と、前記記録部に記録されている前記ＭＡＣアドレスをＡＳＣＩＩコード化し、ＡＳＣＩＩコード化された前記ＭＡＣアドレスを前記第１の通信機器のＳＳＩＤとして設定する第１の通信機器側制御部と、前記第１の通信機器側制御部によって設定されたＡＳＣＩＩコード化された前記ＭＡＣアドレスを前記第２の通信機器に転送する転送部と、を有し、前記第２の通信機器は、前記転送部によって転送されたＡＳＣＩＩコード化された前記ＭＡＣアドレスを前記第２の通信機器のＳＳＩＤとして設定する第２の通信機器側制御部とを有し、前記第１の通信機器側制御部によって設定された前記第１の通信機器のＳＳＩＤと、前記第２の通信機器側制御部によって設定された前記第２の通信機器のＳＳＩＤとをグループ化して管理する管理装置を具備することを特徴とする設定管理システムを提供する。
【００１１】
また本発明は目的を達成するために、前記第１の通信機器は、前記第１の通信機器が有線によって前記第２の通信機器と接続した際にペアリングモードに移行するための操作部をさらに有し、前記第１の通信機器側制御部は、前記ペアリングモード時に、ＡＳＣＩＩコード化された前記ＭＡＣアドレスを前記第１の通信機器のＳＳＩＤとして設定し、前記転送部は、前記第１の通信機器側制御部によって設定されたＡＳＣＩＩコード化された前記ＭＡＣアドレスを、前記ペアリングモード時に前記有線を介して前記第２の通信機器に転送することを特徴とする上記に記載の設定管理システムを提供する。
【発明の効果】
【００１２】
本発明によれば、簡易に通信機器のＳＳＩＤを設定及び管理する設定管理システムを提供することができる。
【図面の簡単な説明】
【００１３】
【図１】図１は、アドホックモードが用いられ、一方の通信機器と他方の通信機器との間で情報が送受信される状態を示す図である。
【図２】図２は、ＳＳＩＤを設定及び管理する際の設定管理システムの構成を示す図である。
【図３】図３は、アドホックモードが用いられ、一方の通信機器と他方の通信機器との間で情報が送受信される一般的な状態を示す図である。
【図４】図４は、外部装置によって通信機器のＳＳＩＤを設定する一般的な方法を示す図である。
【発明を実施するための形態】
【００１４】
以下、図１乃至図２を参照して本発明に係る実施形態について詳細に説明する。  
図１に示すように、一方の通信機器１０ａと他方の通信機器１０ｂとは、アドホックモードにて、無線ＬＡＮを用いて情報を送受信する。そのため設定管理システム１は、図２に示すように、アドホックモードにおいて、通信機器１０ａのＳＳＩＤと通信機器１０ｂのＳＳＩＤとを設定及び管理する。
【００１５】
本実施形態では、通信機器１０ａは例えば主装置であり、通信機器１０ｂは例えば従装置である。本実施形態において、主装置は、従装置よりも先に電源がＯＮになったものを示す。この場合、通信機器１０ａは、通信機器１０ｂよりも先に電源がＯＮになったことを示す。言い換えると、通信機器１０ａを主装置にしたい場合、主装置となる通信機器１０ａの電源を、従装置となる通信機器１０ｂの電源よりも先にＯＮにすればよい。
【００１６】
主装置である通信機器１０ａのＳＳＩＤと従装置である通信機器１０ｂのＳＳＩＤとが設定される際に、図２に示すように、通信機器１０ａと通信機器１０ｂとはＬＡＮケーブル１１などの有線によって接続する。
【００１７】
図２に示すように、主装置である通信機器１０ａは、予め設定されているＭＡＣアドレスや設定されたＳＳＩＤなどの各種情報を記録する記録部３１と、記録部３１に記録されているＭＡＣアドレスをＡＳＣＩＩコード化し、ＡＳＣＩＩコード化されたＭＡＣアドレス（以下、ＭＡＣアドレスのＡＳＣＩＩフォーマットデータ）を通信機器１０ａのＳＳＩＤとして設定する制御部３３とを有している。
【００１８】
また通信機器１０ａは、通信機器１０ａがＬＡＮケーブル１１によって通信機器１０ｂと接続した際に通信機器１０ａと通信機器１０ｂとがペアリングモードに移行するための操作部３５と、ペアリングモード時に、制御部３３によって設定されたＭＡＣアドレスのＡＳＣＩＩフォーマットデータをＬＡＮケーブル１１を介して従装置である通信機器１０ｂに転送する転送部３７と、通信機器１０ｂと無線ＬＡＮを用いて情報を送受信するための無線通信部３９とをさらに有している。
【００１９】
通信機器１０ｂは、制御部３３によって設定された通信機器１０ａのＳＳＩＤ（ＭＡＣアドレスのＡＳＣＩＩフォーマットデータ）を転送部３７から転送される転送部３７ｂと、転送部３７から転送部３７ｂに転送され、制御部３３によって設定された通信機器１０ａのＳＳＩＤ（ＭＡＣアドレスのＡＳＣＩＩフォーマットデータ）を通信機器１０ｂのＳＳＩＤとして設定する制御部３３ｂと、制御部３３ｂによって設定された通信機器１０ｂのＳＳＩＤなどの各種情報を記録する記録部３１ｂと、無線通信部３９と同様の無線通信部３９ｂとを有していればよい。
【００２０】
なお通信機器１０ｂのＳＳＩＤは、上述したように通信機器１０ａのＳＳＩＤと略同一であり、通信機器１０ａの記録部３１に記録され、予め設定されているＭＡＣアドレスを基としている。
【００２１】
記録部３１，３１ｂは、通信機器１０ａ，１０ｂに搭載されている例えばＲＡＭなどのメモリである。
【００２２】
また設定管理システム１は、通信機器１０ａのＳＳＩＤと通信機器１０ｂのＳＳＩＤとを管理するために、例えばＰＣなどの管理装置５０を有している。管理装置５０は、図２に示すように、例えば記録部３１，３１ｂと例えばＬＡＮケーブル１１などの有線によって接続し、記録部３１，３１ｂに記録されている通信機器１０ａのＳＳＩＤと通信機器１０ｂのＳＳＩＤとをグループ化して管理する。
【００２３】
次に本実施形態におけるＳＳＩＤの設定及び管理について説明する。  
なお本実施形態におけるＳＳＩＤの設定及び管理は、アドホックモードが用いられ、通信機器１０ａと通信機器１０ｂとが無線通信するときに行われる。
【００２４】
まず、主装置となる通信機器１０ａの電源がＯＮになり、次に従装置となる通信機器１０ｂの電源がＯＮになる。  
図２に示すように通信機器１０ａは、ＬＡＮケーブル１１によって、通信機器１０ｂと接続する。
【００２５】
操作部３５が操作され、通信機器１０ａと通信機器１０ｂとはペアリングモードに移行する。これにより通信機器１０ａと通信機器１０ｂとの間には、通信回線が確立される。
【００２６】
この直後、制御部３３は、記録部３１に記録されているＭＡＣアドレスをＡＳＣＩＩコード化し、ＡＳＣＩＩコード化されたＭＡＣアドレスであるＭＡＣアドレスのＡＳＣＩＩフォーマットデータを通信機器１０ａのＳＳＩＤとして設定する。記録部３１は、この通信機器１０ａのＳＳＩＤを記録する。
【００２７】
また転送部３７は、ＬＡＮケーブル１１を介して転送部３７ｂにこのＭＡＣアドレスのＡＳＣＩＩフォーマットデータ（通信機器１０ａのＳＳＩＤ）を転送する。制御部３３ｂは、このＭＡＣアドレスのＡＳＣＩＩフォーマットデータ（通信機器１０ａのＳＳＩＤ）を通信機器１０ｂのＳＳＩＤとして設定する。記録部３１ｂは、このＭＡＣアドレスのＡＳＣＩＩフォーマットデータ（通信機器１０ｂのＳＳＩＤ）を記録する。このように通信機器１０ｂのＳＳＩＤは、通信機器１０ａのＳＳＩＤと略同一となる。
【００２８】
そして管理装置５０は、記録部３１，３１ｂとを介して通信機器１０ａのＳＳＩＤと通信機器１０ｂのＳＳＩＤとをグループ化して管理する。そしてこのグループ化されたＳＳＩＤは、管理装置５０に記録される。
【００２９】
上記のように通信機器１０ａ，１０ｂのＳＳＩＤの設定と管理とが終了すると、ＬＡＮケーブル１１が通信機器１０ａと通信機器１０ｂとから取り外され、通信機器１０ａの電源と通信機器１０ｂの電源とは一度ＯＦＦになる。次に、通信機器１０ａの電源と通信機器１０ｂの電源とは再度ＯＮになり、通信機器１０ａと通信機器１０ｂとは無線通信部３９と無線通信部３９ｂとによって無線ＬＡＮを用いて情報を送受信することが可能となる。
【００３０】
このように本実施形態では、主装置である通信機器１０ａのＭＡＣアドレスをＡＳＣＩＩコード化し、ＡＳＣＩＩコード化されたＭＡＣアドレスであるＭＡＣアドレスのＡＳＣＩＩフォーマットデータを通信機器１０ａのＳＳＩＤとして設定する。また本実施形態では、このＭＡＣアドレスのＡＳＣＩＩフォーマットデータ（通信機器１０ａのＳＳＩＤ）を通信機器１０ｂに転送し従装置である通信機器１０ｂのＳＳＩＤとして設定する。また本実施形態では、管理装置５０によって通信機器１０ａのＳＳＩＤ（ＭＡＣアドレスのＡＳＣＩＩフォーマットデータ）と通信機器１０ｂのＳＳＩＤ（ＭＡＣアドレスのＡＳＣＩＩフォーマットデータ）とをグループ化して管理する。
【００３１】
これにより本実施形態では、簡易に通信機器１０ａ，１０ｂのＳＳＩＤを設定でき、簡易に通信機器１０ａのＳＳＩＤと通信機器１０ｂのＳＳＩＤとを管理することができる。
【００３２】
また本実施形態では、ＰＣ等の外部装置を用いることなく、簡易に通信機器１０ａ，１０ｂのＳＳＩＤを設定でき、設定管理システム１を安価にすることができる。
【００３３】
また本実施形態では、通信機器１０ａのＳＳＩＤと通信機器１０ｂのＳＳＩＤとを、通信機器１０ａの記録部３１に記録され予め設定されているＭＡＣアドレスを基とし、略同一にしているために、ＳＳＩＤの設定と管理との煩わしさを低減でき、設定管理システム１を容易に構成できる。
【００３４】
また本実施形態では、通信機器１０ａを例えば主装置とし、通信機器１０ｂを例えば従装置とし、通信機器１０ａと通信機器１０ｂとをＬＡＮケーブル１１などの有線によって接続し、操作部３５によってペアリングモードとすることで、素早く通信機器１０ａ，１０ｂのＳＳＩＤを設定できる。
【００３５】
また本実施形態では、管理装置５０にて通信機器１０ａのＳＳＩＤ（ＭＡＣアドレスのＡＳＣＩＩフォーマットデータ）と通信機器１０ｂのＳＳＩＤ（ＭＡＣアドレスのＡＳＣＩＩフォーマットデータ）とをグループ化して管理することで、制御部３３，３３ｂにおける管理の負担を減らすことができる。
【００３６】
また本実施形態では、通信機器１０ａ，１０ｂのＳＳＩＤを一度設定し、通信機器１０ａのＳＳＩＤと通信機器１０ｂのＳＳＩＤとを管理しさえすれば、無線通信の度に、通信機器１０ａ，１０ｂのＳＳＩＤの設定と管理とを行う必要はなく、設定と管理との手間を省くことができ、設定と管理とのための時間を短縮することができる。
【００３７】
なお本実施形態では、通信機器１０ａを主装置とし、通信機器１０ｂを従装置としたが、これに限定することはなく、通信機器１０ａと通信機器１０ｂとのいずかれ一方が主装置で、他方が従装置であれば良い。また本実施形態では、通信機器１０ａを主装置とし、通信機器１０ｂを従装置としたが、通信機器１０ｂを主装置とする場合、上述したように、通信機器１０ｂの電源を、通信機器１０ａの電源よりも先にＯＮにすればよい。
【００３８】
また本実施形態では、操作部３５を通信機器１０ｂに配設してもよい。なお本実施形態では、操作部３５を通信機器１０ａと通信機器１０ｂとの少なく一方に配設すればよく、また操作部３５にてペアリングモードに移行した通信機器側を主装置としてもよい。
【００３９】
また本実施形態では、通信機器１０ａ，１０ｂのＳＳＩＤを設定できたこと、通信機器１０ａのＳＳＩＤと通信機器１０ｂのＳＳＩＤとをグループ化し管理できたこと、通信機器１０ａ，１０ｂのＳＳＩＤを設定中であること、グループ中であることといった、設定管理システム１の動作状況を表示する表示部を、通信機器１０ａ，１０ｂと管理装置５０との少なくとも一方に配設してもよい。  
これにより本実施形態では、表示部によって、設定管理システム１の動作状況を容易に確認することができる。
【００４０】
また本実施形態では、記録部３１，３１ｂに記録されている通信機器１０ａ，１０ｂのＳＳＩＤと、管理装置５０に管理されている通信機器１０ａ，１０ｂのＳＳＩＤとを消去する消去部を通信機器１０ａ，１０ｂと管理装置５０とに配設してもよい。  
これにより本実施形態では、例えば通信機器１０ａが通信機器１０ｂとの後に図示しない他の通信機器と無線通信する場合に、通信機器１０ｂとの無線通信のために記録部３１，３１ｂに記録及び管理装置５０にて管理されている通信機器１０ａ，１０ｂのＳＳＩＤを消去部によって消去すればよい。よって本実施形態では、通信機器１０ａにおいて通信機器１０ｂと同様に他の通信機器との無線通信のためにＳＳＩＤの設定を容易にはじめることができ、管理装置５０において通信機器１０ａのＳＳＩＤと他の通信機器のＳＳＩＤとの管理を容易にはじめることができる。またこれにより本実施形態では、通信機器１０ａをさまざまな通信機器と無線通信させることができる。
【００４１】
また本実施形態では、例えば、通信機器１０ａが最初に通信機器１０ｂと無線通信し、次に他の通信機器と無線通信し、最後に通信機器１０ｂと再び無線通信するとする。  
この場合、記録部３１，３１ｂにて一度記録した通信機器１０ａ，１０ｂのＳＳＩＤと、管理装置５０にて管理されている通信機器１０ａ，１０ｂのＳＳＩＤとを上述した消去部によって消去させなくてもよい。
【００４２】
これにより、本実施形態では、通信機器１０ａが最後（再度）に通信機器１０ｂと無線通信する際に、記録部３１，３１ｂにてすでに記録されている通信機器１０ａ，１０ｂのＳＳＩＤと、管理装置５０にてすでに管理されている通信機器１０ａ，１０ｂのＳＳＩＤとを用いることで、通信機器１０ａ，１０ｂのＳＳＩＤの再設定と再管理とを行う必要はなく、手間を省くことができ、設定のための時間を短縮することができる。
【００４３】
また本実施形態では、一度設定したＳＳＩＤと、管理とを用いることができるために、通信機器１０ａをさまざまな通信機器と無線通信させるための準備（ＳＳＩＤの設定と管理）を短縮することができる。
【００４４】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００４５】
１…設定管理システム、１０ａ，１０ｂ…通信機器、１１…ＬＡＮケーブル、３１，３１ｂ…記録部、３３，３３ｂ…制御部、３５…操作部、３７，３７ｂ…転送部、３９，３９ｂ…無線通信部、５０…管理装置。
【図１】
2011223070.tif 000003
【図２】
2011223070.tif 000004
【図３】
2011223070.tif 000005
【図４】
2011223070.tif 000006